(57)【特許請求の範囲】
【請求項１】
カートリッジを収容するハウジングを具備し、該ハウジングが、該ハウジングに対して横方向に移動可能に、少なくとも１つの阻止用要素を支持し、該阻止用要素が、該ハウジング内に挿入されたカセットの前縁と協働する傾斜表面を有し、該傾斜面が、該ハウジングの挿入面の近くに横に配置されている、カートリッジのための装填装置において、
該阻止用要素が、該ハウジングの中央部分に設置されており、
該阻止用要素が、該ハウジング内で下方に突出して該ハウジング内への不適切な向きのカートリッジの挿入を妨げるラグを備えており、
該ラグが、該阻止用要素の移動方向に垂直な面内において移動可能であり、該傾斜表面が、適切な向きの該カートリッジによって横方向に移動せしめられたときのみに、該ハウジングの挿入面を介して該カートリッジの装填を許すことを特徴とするカートリッジのための装填装置。
【発明の詳細な説明】
【０００１】
【産業上の利用分野】
本発明は、ディスク、磁気テープなどのようなデータ媒体用のカセット、カートリッジ及びケーシング用の装填装置に関し、特に挿入運動の真の開始の際に、挿入時に正しく方向付けられていないカートリッジ又はケーシングの挿入を防止し又は阻止する器具に関する。
【０００２】
【従来技術及びその課題】
正しく方向付けられていないカートリッジの装填装置内への挿入を防ぐための公知の器具はあるが、かかる器具の多くは、カートリッジが（前の縁を先にして）長手方向に、或いは（側の縁を先にして）横手方向に挿入されるかのいずれでも機能しない。また、通常、これらは作動するためには全挿入長さに近くまで、又はその半分以上までカートリッジを挿入することが必要である。例えば日本国特許公報５０−３４５１６号及び同４７−３６０８８号は、一つの面の縁で厚くされたカセットを検知するコンパクトカセット用の器具を示す。かかる検知は、カセットが挿入長さのほぼ８０％に挿入されるまでは生じない。かかる器具の欠点は、カートリッジを行ける所まで挿入しようとしている使用者が正確に位置決めされたと確信し、このため更に大きな力で挿入動作を継続し、カートリッジ、カートリッジを受け入れているハウジング、及び／又は装填装置を破損させる危険があることである。
【０００３】
米国特許第５０２２０２３号は、機械式センサーが設けられその判定に従って使用者の挿入するディスクが小直径であるか大直径であるか、更に案内片が解除されているか解除されていないかを判定するディスクリーダー器具を提案する。かかる器具は、もしカートリッジに設けられた場合は、異なった大きさのカートリッジの位置決めに使用できるが、カートリッジが適正に向けられいるか否かは判定することができない。
【０００４】
従って、カートリッジが使用者により挿入されるときに適正な向きでなかったならばカートリッジの挿入の動きを直ちに妨げることを確実化する簡単で効果的、経済的かつ信頼し得る手段により上述の不利益を除去することが本発明の目的である。
【０００５】
本発明の別の目的は、この検知がカートリッジの挿入運動の最初の開始時に生ずることを確実化することである。
【０００６】
上述の目的を満足させるために、、本発明の器具は本質的に請求項の内容を特徴とする。
【０００７】
その他の利点及び特徴は、本発明の範囲より離れることなく変更し得る本発明の好ましい実施例の以下与えられる説明より明らかになるであろう。
【０００８】
【実施例】
本発明の好ましい実施例を説明するために、図５ａ−５ｃに示されるようにカートリッジ１は、「ミニディスク」カートリッジ、即ち、横方向の縁より長い長手方向の縁を持った本質的に平たい長方形のケーシング（７２×６７×５ｍｍ）を有し、直径がほぼ６４ｍｍのディスク２を受け入れ、更に滑りシャッター３が取り付けられ、カートリッジが装填装置内の作動位置にあるときにこのシャッターの平行な面の一方を通してディスクの表面に接近できるカートリッジである。カートリッジの「前面」の長手方向の縁８は２個の丸みの付けられた隅角部５及び７を有し、一方、２個の横方向の縁４ａ及び４ｂの各には溝６ａ及び６ｂが設けられ、この溝は頂面及び底面から不等の距離にあり、従ってこれらの面に関して非対称であり、更に、この溝は各横方向の縁のほぼ全長にわたって形成されるが完全に全長にわたってはいない（図５ｃ参照）。このカートリッジを受け入れる総ての機構に、溝６ａ内に入りシャッター３を開くためにタブが設けられる。しかし、記録及び／又は再生用のユニット内にディスクがない場合はディスク表面とのいかなる物理的接触も防ぐように、前記の作動は、カートリッジ１の挿入が完了したときだけである。
【０００９】
図１に線図的に示されるように、カートリッジ、特に図５ａ−５ｃに示されたカートリッジ用の装填装置１０は、原理的に、フレーム１２、カートリッジ１を受け入れるように意図されたハウジング１４、及びハウジング１４とその中のカートリッジとをそれらの上昇位置又は排出位置（図１）及びその下降した作動位置（図２）の間を輸送する手段を備える。この装填装置１０は、これも譲渡された日本国特許第１７１４９３５号の主題であり、この装置の構造と作動とに関するいかなる付加的情報も参照すべきである。
【００１０】
ハウジング１４は、カートリッジが挿入されるその前面の入り口に、２個の同様な阻止用部材２０、２２を有し（図１）、これらは互いに鏡像的であり、（図１の頂部から見て）左側の部材２０及び右側の部材２２として示され、また、バネ３４により互いに向かい合って弾性力により強制された図１に図示の位置から横方向に離れるように動くことができる。
【００１１】
図６に示されるように、各阻止用部材２０、２２はカートリッジの対応する溝６ａ、６ｂに入るようにされた横方向に伸びている舌状片２４、及びカートリッジ１の丸みの付けられた隅角部５、７と組み合わせられる横方向に傾けられた面２６を与える。更に、各阻止用部材２０、２２は、カートリッジ１の前面の縁の経路内に垂直に下方に突き出すように後方下向きに傾けられたラグ３０を与える。ラグ３０は、これが可撓性の舌状片２８により支持され、阻止位置にあるときは阻止用部材として作用し（図１）、挿入時に正しく向けられたカートリッジ自体によりカートリッジ１の経路から後退させられるであろう。
【００１２】
各阻止用部材２０、２２は、ハウジング１４上のスタッド５０と阻止用部材２０、２２のスロット３２との組合せ手段により、ハウジング１４の中央部分に取り付けられる。
【００１３】
強制用のばね３４が２個の阻止用部材２０、２２を装置の入り口中心線を挟んだ対称的な配置に保ち、かつこれらを中央線の近くに弾性的に維持する（図１及び３）。
【００１４】
ハウジング１４は２個のノッチを有し（図１及び３）、後退可能なラグ３０はこのノッチを通ってカートリッジ１の前縁の経路内に通過する。
【００１５】
ハウジング１４は、カートリッジの前縁８と当たる停止具として作用する２個の後部ラグ６０、６２を持つ。
【００１６】
適正に向けられた、即ち、前縁を先にしてかつ頂面を上にしてカートリッジが装填装置１０のハウジング１４内に挿入されると、部材２０、２２の舌状片２４は溝６ａ及び６ｂに入り、カートリッジの挿入を可能とする。
【００１７】
舌状片２４はカートリッジの後端が先に挿入されることを防ぐ。これはカートリッジの不適正に向けられた挿入の一例である。
【００１８】
更に本発明と調和して、ハウジング１４は実質的に中央線に２個の折れ曲がったタブ５０を有し、これらはカートリッジが挿入されたときに対応する阻止用部材２０、２２が横方向に動かされない限り各ラグ３０の上向きの運動を防ぐ。
【００１９】
横方向より長手方向が長い図示のようなカートリッジ１の場合は、カートリッジ１がまず前縁を挿入されたときは、前縁８の両方の丸みの付けられた隅角部５、７が阻止用部材２０、２２の横方向の面２６と組み合い、阻止用部材２０、２２は戻しばね３４の強制作用に抗して横方向に離れるように強制される（図３）。
【００２０】
この運動が生ずると、ラグが突き出して通り抜けるノッチを定めている部材１５、１６とラグ３０の傾斜端３６とが組み合うので部分２８が曲げられ、ラグ３０はカートリッジの経路から後退させられる。
【００２１】
図３及び図４に示されるように、ラグ３０がカートリッジ１の経路外に後退され経路が空いているときはカートリッジの全挿入を許し、次に、装填装置１０は、カートリッジを作動位置に送れるようにカートリッジと駆動／ピックアップ機構とを相対的に上げ又は下げるように作動させられる。
【００２２】
横方向の溝６ａと６ｂとが非対称的に位置決めされているため、使用者がカートリッジ１を上下を逆にして挿入しようとすると、阻止用部材に形成された横方向に伸びている舌状片２４がカートリッジの挿入を阻止する。
【００２３】
溝６ａと６ｂとは後端まで完全には伸びていないので使用者が後端を先にしてカートリッジを挿入しようとしたとすれば、横方向に伸びている舌状片２４がカートリッジの挿入を阻止する。
【００２４】
幅と横方向に伸びている舌状片２４の相対位置は、これらの間の隙間が横方向の縁４ａ，４ｂの長さより大きいか又は実質的に等しいようにすることが好ましく、このため、使用者が横方向の縁４ａ又は４ｂを先にしてカートリッジを挿入したとすれば（図７）、たとえ阻止用部材２０、２２の一方（例えば使用者がカートリッジ１を傾けて挿入したために図７の阻止用部材２２）が動かされたとしても、他方の阻止用部材（図７の２２）は動かされず、従ってそのラグ３０は後退せずカートリッジ１の挿入をなお阻止するであろう。
【００２５】
更に、ここに示されるように各ラグ３０は下側の後縁に水平方向に伸びているフィンガー３８を有し、カートリッジの側方の縁がラグ３０の傾けられた縁３６を押し付けた状態で、特にカートリッジがハウジング１４の水平面に関していくらか傾けられ、横方向に挿入された場合は（図７ａ参照）、そのアームがラグ３０の上向きの運動を阻止する。このような場合は、ラグ３０は上がるが、置き換えられた縁１５、１６により定められたハウジング１４のノッチの後方の下面により阻止される。
【００２６】
使用者がカートリッジ１を後縁を先に又は上下を逆に挿入しようとし、同時に阻止用部材２０、２２の一方（例えば、図８の部材２２）を横方向に動かすように斜めにこれを挿入する場合は、横方向に伸びている舌状片２４の幅及びラグ３０の位置は、他方の阻止用部材２２、２２が静止のまま残り（図８、部材２０）従ってカートリッジ１の挿入を阻止する。
【００２７】
本発明による阻止用器具はカートリッジが使用者により挿入されるときに不適正な向きのカートリッジの挿入を直ちに阻止し、かつこれは挿入運動の真の開始時に生ずることが容易に分かるであろう。従って、使用者は挿入運動を継続、又は強制することなく直ちにカートリッジの向きを変更し調べ、装填装置だけでなくカートリッジ自体を保護することができる。
【００２８】
これは、特に、運転者（及びユニットの使用者）が道路に注意を払うことが必要であって挿入のときにカートリッジが正しく向けられているかを確認するようにカートリッジの装填に十分な注意を向けられない車両搭載のユニットに適用されたときに重要な利点である。かかる器具は車両運転の安全性を改良する安全な特徴を構成する。
【００２９】
本発明の阻止用器具の好ましい実施例を示すための例によれば、横方向に伸びている舌状片２４間の距離は６５ｍｍ；ラグ３０間の距離は２ｍｍ；ラグ３０と舌状片２４との間の高さの差は５ｍｍ；ラグは幅５ｍｍでハウジング１４の前縁から１５ｍｍに置かれる。
【００３０】
本発明の実施態様は次の通りである。
【００３１】
１．カートリッジを受け入れるハウジング（１４）を備え、ハウジング（１４）の前面入り口に置かれハウジング（１４）内へのカートリッジの挿入を妨げる少なくも１個の停止部材（２４、３０）を有する少なくも１個の可動の阻止用部材（２０、２２）であって、カートリッジが挿入に対して正しく方向付けられたときだけ少なくも１個の停止部材（２４、３０）を後退させるために変位し得るように前記カートリッジの縁と共同作用する前記阻止用部材（２０、２２）を備えることを特徴とするカートリッジ（１）の装填器具。
【００３２】
２．互いに鏡像的でありかつハウジングの中心線に関して対称的に置かれた２個の阻止用部材（２０、２２）を備えることを特徴とする実施態様１による装填器具。
【００３３】
３．阻止用部材（２０、２２）の停止部材がカートリッジの装填面に関して実質的に直角方向に後退可能なラグ（３０）により構成されることを特徴とする実施態様１又は２による装填器具。
【００３４】
４．ラグ（３０）の後退がラグ（３０）の通過するハウジング（１４）のノッチ（１５、１６）により確保されることを特徴とする実施態様３による装填器具。５．ラグ（３０）が可撓性の舌状片（２８）により阻止用部材（２０、２２）に連結されることを特徴とする実施態様３又は４による装填器具。
【００３５】
６．ラグ（３０）は、カセットが挿入に不適正な方向付けであるときに前記ラグの垂直方向運動を防ぐ水平方向に伸びているフィンガー（３８）を担持することを特徴とする実施態様１ないし５のいずれかによる装填器具。
【００３６】
７．カートリッジ（１）の横方向の縁（４ａ、４ｂ）の溝（６）と共同作用するようにされた舌状片（２４）により可動の阻止用部材（２０、２２）の別の停止部材が構成されることを特徴とする実施態様１又は２による装填器具。
【００３７】
８．カートリッジが挿入に対して不適正に方向付けられたときに舌状片（２４）が停止部材として作用することを特徴とする実施態様７による装填器具。
【００３８】
９．挿入に対して不適正に方向付けらたときに前記阻止用部材の横方向変位を促進するように、カートリッジの前の隅角部（５、７）と共同作用するように配列された傾斜面（２６）を、前記阻止用部材（２０、２２）が有することを特徴とする実施態様１ないし８のいずれかによる装填器具。
【００３９】
１０．阻止用部材（２０、２２）がハウジングの前面入り口の中心に向かって弾性的に強制されることを特徴とする実施態様１ないし９のいずれかによる装填器具。
【図面の簡単な説明】
【図１】本発明を使用した装填装置の、装填装置にカートリッジがない状態における単純化された平面図である。
【図２】図１の端面図である。
【図３】図１及び２と同様であるがカートリッジが適正に方向付けられかつ作動位置に置かれた状態の図面である。
【図４】図１及び２と同様であるがカートリッジが適正に方向付けられかつ作動位置に置かれた状態の図面である。
【図５】図１−４の装置内に挿入されるカートリッジのそれぞれ線図的な平面図、端面図及び側面図である。
【図６】挿入時に適正に方向付けられていない場合にカートリッジの挿入を妨げる可動の阻止用部材の一つの底面から見た斜視図である。
【図７】側部の縁を先にしかつ傾けられて挿入されたときに図５ａ−５ｃに示されたカートリッジの挿入を阻止している本発明の可動阻止用部材を線図的にし、ａはその可動の阻止用部材の分解拡大図である。
【図８】カートリッジが後端を先にしかつ傾けられた不適正に挿入された場合の図７と同様な図である。
【符号の説明】
１  カートリッジ
２  ディスク
１０  装填装置
１２  フレーム
１４  ハウジング
２０  阻止部材
２２  阻止部材
２４  停止部材
２８  舌状片
３０  ラグ
【図１】
0003590651.tif 000002
【図２】
0003590651.tif 000003
【図３】
0003590651.tif 000004
【図４】
0003590651.tif 000005
【図５】
0003590651.tif 000006
【図６】
0003590651.tif 000007
【図７】
0003590651.tif 000008
【図８】
0003590651.tif 000009